(57)【特許請求の範囲】
【請求項１】
ブレードラバーと、
前記ブレードラバーの基部に沿って配設したバーティブラと、
下側が開放した凹形断面に形成され、前記ブレードラバーの基部の上方側を離間して覆うカバーと、を備え、
前記ブレードラバーは、前記基部の下側で幅方向両側から上向きに延設されて、該基部の下側から幅方向両側を囲繞する一対のガード壁を備え、
前記ガード壁の上側端末を前記カバーの下側開放部の端末に当接またはオーバーラップして配設して、これらガード壁とカバーとで前記基部を内包する閉断面部を構成したことを特徴とするワイパーブレード。
【請求項２】
前記ブレードラバーは一定断面形状に押出し成形されている一方、
前記カバーは、その長さ方向の端末に前記ブレードラバーの長さ方向端末の断面開放部を閉塞するキャップ部を備えていることを特徴とする請求項１に記載のワイパーブレード。
【請求項３】
前記ワイパーブレードは、前記ブレードラバーの基部を把持する複数のレバー部材からなるレバーアッセンブリを備え、
前記カバーの一部を、前記レバーアッセンブリの１つのレバー部材で構成したことを特徴とする請求項１または２に記載のワイパーブレード。
【発明の詳細な説明】
【技術分野】
【０００１】
本発明は、自動車等の車両のワイパー装置に用いられるワイパーブレードに関する。
【背景技術】
【０００２】
特許文献１には、冬期用のワイパーブレードとして、ブレードラバーの基部を把持する複数のレバー部材からなるレバーアッセンブリの上方側を、カバーで覆った技術が開示されている。
【先行技術文献】
【特許文献】
【０００３】
【特許文献１】特開２００５−２３９１１６号公報
【発明の概要】
【発明が解決しようとする課題】
【０００４】
特許文献１の開示技術では、カバーはその下側が開放した凹形断面に形成されていて、ブレードラバーの基部の上側には幅方向両側に開放した開放空隙が存在している。
【０００５】
このため、ワイパーブレードによる払拭面の払拭作動時に、払拭面から掻き落した雪がブレードラバーの基部とカバーの内側との間に侵入，堆積し、これが次第に成長することによって、ブレードラバーの払拭性能が阻害される可能性がある。
【０００６】
そこで、本発明は払拭面から掻き落した雪がカバー内に侵入するのを確実に防止することができるワイパーブレードを提供するものである。
【課題を解決するための手段】
【０００７】
本発明のワイパーブレードは、ブレードラバーと、該ブレードラバーの基部に沿って配設したバーティブラと、下側が開放した凹形断面に形成され、ブレードラバーの基部の上方側を離間して覆うカバーと、を備えている。
【０００８】
また、ブレードラバーは、その基部の下側で幅方向両側から上向きに延設されて、該基部の下側から幅方向両側を囲繞する一対のガード壁を備えている。
【０００９】
そして、このガード壁の上側端末を前記カバーの下側開放部の端末に当接またはオーバーラップして配設して、これらガード壁とカバーとで前記基部を内包する閉断面部を構成したことを主要な特徴としている。
【発明の効果】
【００１０】
本発明によれば、ブレードラバーの基部の周囲は、カバーと一対のガード壁とで外部から遮蔽された閉断面の空隙となっている。
【００１１】
このため、払拭面から掻き落された雪がブレードラバーの基部周りに侵入，堆積するのを確実に防止することができ、ブレードラバーの払拭性能を阻害するのを回避できる。
【図面の簡単な説明】
【００１２】
【図１】本発明のワイパーブレードを示す分解斜視図。
【図２】図１のＡ−Ａ線に沿う断面図。
【図３】図１のＢ−Ｂ線に沿う断面図。
【発明を実施するための形態】
【００１３】
以下、本発明の一実施形態を図面と共に詳述する。
【００１４】
図１〜図３に示す実施形態のワイパーブレードは、ブレードラバー１と、該ブレードラバー１に作用する押圧力をその長さ方向に分散して均一化するためのバーティブラ５と、ブレードラバー１を把持するレバーアッセンブリ６と、を備えている。
【００１５】
ブレードラバー１は、自動車のフロントウィンドウパネルやリャウィンドウパネル等の払拭面を摺擦する払拭用のリップ２と、該リップ２と頸部４を介して連設した基部３と、を備えている。
【００１６】
バーティブラ５は、適宜のばね鋼材をもって帯板状に形成され、本実施形態ではブレードラバー１の基部３の幅方向両側面に長さ方向にスリットを設け、該スリットにバーティブラ５を圧入して固定したバーティブラ配置構造としている。
【００１７】
レバーアッセンブリ６は、複数のレバー部材７，８をトーナメント状に連結して構成され、ブレードラバー１の基部３を長さ方向に所要の間隔をおいて把持し、図外のワイパーアーム端に係脱可能に連結する構成としている。
【００１８】
具体的には、長さ方向中央部にワイパーアーム端に係脱可能なクリップ１０を支軸１１により回動可能に連結したセンターレバー７と、長さ方向中央部でセンターレバー７の長さ方向両端部にそれぞれかしめピン１１Ａによりかしめ固定して、回動可能に連結した一対のヨーク８と、で構成している。
【００１９】
ヨーク８は、その長さ方向両端部に、例えば方形のチャンネル断面とした抱持部９を備え、該抱持部９によりブレードラバー１の基部３を、その長さ方向の４ヶ所で幅方向に把持するようにしている。
【００２０】
ブレードラバー１は押出し成形してあり、このブレードラバー１とレバーアッセンブリ６とは、ヨーク８の各抱持部９と基部３とを、相互に長さ方向に嵌挿移動して組付けている。これにより、ブレードラバー１の交換を自由に行えるようにしている。
【００２１】
レバーアッセンブリ６には、センターレバー７とヨーク８との連結点からブレードラバー１の一方の長さ方向端末との間に亘る領域で、ブレードラバー１の基部３の上方側を離間して覆うカバー１２を装着してある。
【００２２】
カバー１２は、適宜の合成樹脂材をもって、下側が開放した凹形断面に形成され、長さ方向一端部をセンターレバー７の端部に外嵌して、カバー１２自体の弾性により両側壁のロケート孔（またはロケート溝）１２ａをかしめピン１１Ａの頭部に係着して、回動可能に連結してある。
【００２３】
カバー１２の他端末には、ブレードラバー１の長さ方向端末に当接して、該端末の断面開放部を閉塞する端板状のキャップ部１３を一体に備えている。
【００２４】
本実施形態では、センターレバー７を下側が開放した凹形断面に形成し、その幅方向両側壁の下縁がカバー１２の下縁とほぼ同一線上に揃う寸法に形成して、該センターレバー７がカバー１２と等価の機能を発揮するようにしている。
【００２５】
一方、ブレードラバー１には、基部３の下側で幅方向両側から上向きに延設されて、該基部３の下側から幅方向両側を囲繞する、略Ｌ字状断面の一対のガード壁３Ａを一体成形してある。
【００２６】
本実施形態では、ガード壁３Ａの上端末をカバー１２およびセンターレバー７の下側開放部の端末に当接する高さに形成して、これらカバー１２およびセンターレバー７と、ガード壁３Ａとで、ブレードラバー１の基部３を内包する閉断面部Ｓを構成している。
【００２７】
閉断面部Ｓは、この他、ガード壁３Ａの上端末と、カバー１２およびセンターレバー７の下側開放部の端末とを、上下方向にオーバーラップするように、即ち、上下方向に嵌合するように形成して、閉断面構造とすることもできる。
【００２８】
以上の実施形態の構成からなるワイパーブレードによれば、ブレードラバー１の基部３の周囲は、カバー１２およびセンターレバー７と、一対のガード壁３Ａとで外部から遮蔽された閉断面の空隙（閉断面部Ｓ）となっている。
【００２９】
このため、払拭面から掻き落された雪がブレードラバー１の基部３周りに侵入して堆積することはなく、従って、ブレードラバー１の払拭性能を阻害するのを回避することができる。
【００３０】
また、本実施形態では、カバー１２の端末に設けたキャップ部１３によってブレードラバー１の端末の断面開放部を閉塞しているので、上述の閉断面部Ｓへの雪の侵入防止を徹底することができる。
【００３１】
更に、上述のようにセンターレバー７にカバー１２と等価の機能を持たせているので、レバーアッセンブリ６を全体的に複数のカバー部材で覆う構成に較べて、ワイパーブレードを小型，軽量化することができると共に、部品点数，組付け工数を削減できて、コスト的に有利に得ることができる。
【００３２】
なお、前記実施形態におけるセンターレバー７およびヨーク８は、合成樹脂製，耐腐蝕性の金属製の何れであってもよい。
【００３３】
また、カバー１２およびガード壁３Ａの断面形状、基部３およびリップ２の断面形状、およびバーティブラ５の配置形態等は、仕様によって如何ようにも変更することが可能である。
【００３４】
更に、前記実施形態ではトーナメントタイプのレバーアッセンブリ６を備えた、所謂、トーナメントレバータイプのワイパーブレードを例示したが、本発明はこの他、バーティブラを基部上面に沿って配設して複数ヶ所でクリップ固定し、それらの長さ方向中央部にワイパーアームに対するホルダユニットを組付けた、所謂、フラットタイプのワイパーブレードに適用することも可能である。
【符号の説明】
【００３５】
１…ブレードラバー
３…基部
３Ａ…ガード壁
５…バーティブラ
６…レバーアッセンブリ
７…センターレバー（レバー部材）
８…ヨーク（レバー部材）
１２…カバー
１３…キャップ部
Ｓ…閉断面部
【図１】
0005522062.tif 000002
【図２】
0005522062.tif 000003
【図３】
0005522062.tif 000004